(57)【要約】【課題】るつぼの縁などを挟まずに支持具中に固定することで、るつぼを割って溶湯を飛散させる危険を回避するとともに、ストッパーにより傾けたときにるつぼが落下することを防ぐ。【解決手段】本発明は、るつぼ５を運搬あるいは傾斜する際に用い、２本のアーム４a、４bを支点で介してクロス状に回転自在とされてなるハサミ形るつぼ支持具であって、一方のアーム４aの片端部内側にるつぼ５を入れる籠１を、籠１の中央から上部において配設し、もう一方のアーム４bの片端部内側あるいは外側には、傾斜時にるつぼ５が落下しないようストッパー２を配設し、籠１とストッパー２、あるいは籠１ともう一方のアーム４bの片端部内側が直接接するようになっていることを特徴とするるつぼ支持具。【選択図】図５
2010099728.tif 000002
【特許請求の範囲】
【請求項１】
るつぼを運搬あるいは傾斜する際に用い、２本のアームを支点で介してクロス状に回転自在とされてなるハサミ形るつぼ支持具であって、一方のアームの片端部内側に当該るつぼを入れる籠を、当該籠の中央から上部において配設し、もう一方のアームの片端部内側あるいは外側には、傾斜時にるつぼが落下しないようストッパーを配設し、当該ハサミ形るつぼ支持具を閉じた状態で当該籠と当該ストッパー、あるいは当該籠ともう一方のアームの片端部内側が直接接するようになっていることを特徴とするるつぼ支持具。
【請求項２】
当該２本のアームの把持する側の、支点から把持部先端までの長さはるつぼ最大外径の１〜５倍の長さを有する請求項１記載のるつぼ支持具。
【請求項３】
片端部にストッパーを配設されてなるもう一方のアームの、他端把持部外側に枠を有する請求項１または２記載のるつぼ支持具。
【発明の詳細な説明】
【技術分野】
【０００１】
本発明は、るつぼを傾けて溶湯を鋳型等に流し込む際の、るつぼを支持する治具に関する。
【背景技術】
【０００２】
手作業でるつぼを傾けて高温の金属溶湯を鋳型等に流し込むためには、従来、やっとこ状の鋳造バサミを用いて、るつぼの縁を掴んで傾けていた。この方法では、鋳造バサミで掴んだるつぼの縁に応力が集中し、るつぼ側面上部が欠ける恐れがあった。また、掴む力が弱いと、作業中にるつぼが抜け落ちる恐れがあった。
【０００３】
またるつぼの周囲形状に沿って円弧状に湾曲した挟持部を有するるつぼバサミもあるが、やはり掴む力が強すぎるとるつぼ側面全体を割ってしまう恐れがあり、弱いと、作業中にるつぼが抜け落ちる恐れがあった（例えば、特許文献１参照）。
【特許文献１】実開平７−２７７５９号公報
【発明の開示】
【発明が解決しようとする課題】
【０００４】
従って本発明が解決しようとする課題は、高温の金属溶湯を手作業でるつぼを傾けて鋳型等に流し込む際に、作業の安全性を向上させる技術を提供することである。
【課題を解決するための手段】
【０００５】
本発明は、るつぼを運搬あるいは傾斜する際に用い、２本のアームを支点で介してクロス状に回転自在とされてなるハサミ形るつぼ支持具であって、一方のアームの片端部内側に当該るつぼを入れる籠を、当該籠の中央から上部において配設し、もう一方のアームの片端部内側あるいは外側には、傾斜時にるつぼが落下しないようストッパーを配設し、当該ハサミ形るつぼ支持具を閉じた状態で当該籠と当該ストッパー、あるいは当該籠ともう一方のアームの片端部内側が直接接するようになっていることを特徴とするるつぼ支持具（請求項１）。
【０００６】
当該２本のアームの把持する側の、支点から把持部先端までの長さはるつぼ最大外径の１〜５倍の長さを有することが好ましい（請求項２）。
【０００７】
片端部にストッパーを配設されてなるもう一方のアームの、他端把持部外側に枠を有することが好ましい（請求項３）。
【発明の効果】
【０００８】
本発明のるつぼ支持具は、一方のアームの片端部内側に当該るつぼを入れる籠を、当該籠の中央から上部において配設し、もう一方のアームの片端部内側あるいは外側には、傾斜時にるつぼが落下しないようストッパーを配設し、当該ハサミ形るつぼ支持具を閉じた状態で当該籠と当該ストッパー、あるいは当該籠ともう一方のアームの片端部内側が直接接するようになっているので、るつぼの側面の一部に応力集中させることなく支持でき、またるつぼを傾けて溶湯を鋳型に流し込むときに抜け落ちる可能性がなく、作業の安全性を向上させることができる。
【発明を実施するための最良の形態】
【０００９】
例えばアルミニウムを１９号黒鉛るつぼ（最大外径φ１６２mm）で溶解すると最大６kg程度となり、るつぼおよびるつぼ支持具本体の質量を併せると総重量は１１kg程度になる。さらにこの溶湯が７００℃程度あるために、これを片手または両手で持ち上げて作業を行うには大変な注意力を要する。
【００１０】
すなわちハサミに加える力を入れすぎるとるつぼが割れて溶湯が飛散する恐れがあり、力が少なすぎてもるつぼが抜け落ちて地面に落ちた衝撃で溶湯が飛散する。
【００１１】
以下、本発明を図面を参照しながら実施の形態により詳細に説明するが、本発明は以下の実施の形態に限定されるものではない。図１は、本発明の第１実施形態の開いた状態のるつぼ支持具に係る平面図であり、図２は閉じた状態、図３はその側面図である。また、図４は、第２実施形態の開いた状態のるつぼ支持具の開いた状態に係る平面図であり、図５は閉じた状態、図６はその側面図である。図７はるつぼ支持具使用時の概略図である。
【００１２】
〔第１実施形態〕
図１〜図３に示すように、本発明のるつぼ支持具は、一方のアーム４aの片端部内側に当該るつぼ５を入れる籠１を、当該籠の中央から上部において配設し、もう一方のアーム４bの片端部内側あるいは外側には、傾斜時にるつぼ５が落下しないようストッパー２を配設してある。そして２本のアーム４a、４bを支点で介してクロス状に回転自在とされてなるハサミ形るつぼ支持具である。
【００１３】
〔第２実施形態〕
図４〜図６に示すように、本発明のるつぼ支持具は、第1実施形態のストッパー２が配設されたアーム４bの、ストッパー２と反対側である把持部３bの外側に枠６を有している。
【００１４】
〔共通の実施形態〕
本発明のるつぼ支持具は、一方のアーム４aの片端部内側にるつぼ５を入れる籠１を、備えており、その籠１の中にるつぼ５を保持すれば、９０度以上傾斜させない限りは落下しない。またアーム４aは籠１の中央から上部において配設される。
【００１５】
もう一方のアーム４bの片端部内側あるいは外側には、９０度以上傾斜させてもるつぼ５の落下を防ぐストッパーが配設してある。
【００１６】
そして２本のアーム４a、４bを支点で介してクロス状に回転自在とするため、ハサミ形の構成となり、当該ハサミ形るつぼ支持具を閉じた状態でも籠１とストッパー２、あるいは籠１とアーム４bの片端部内側が直接接するようになっている。従って強くハサミを握ってもるつぼ５に力はかからずに、るつぼ５が割れる恐れはない。
図７に示すように、高温のアルミニウム溶湯の入ったるつぼ５を傾けて鋳型等に流し込む作業も支障なく行えるようになる。
【００１７】
本発明のるつぼ支持具の２本のアーム４a、４bの把持する側３a、３bの、支点から把持部先端までの長さ３はるつぼ最大外径の１〜５倍の長さを有することが好ましい。総重量が１１kg程度もあると、安全且つ正確な作業を行うためにるつぼ支持具は両手で保持する必要がある。そこで人間の肩幅程度の長さが必要となる。
把持部先端までの長さ３が１倍未満だと片手で保持せざるを得なくなり、鋳型等に正確に溶湯を流し込む作業が困難となる。５倍の長さを超えると人間の肩幅より大きくなってしまい、作業に不要な邪魔な部分になってしまう。
【００１８】
片端部にストッパー２を配設されてなるもう一方のアーム４bの、他端把持部３b外側に枠を有することが好ましい。グリップ部分が自ずと定まるだけでなく、片側だけに配設して傾斜させる方向を一目で認識させる効果も考えられる。
【実施例】
【００１９】
るつぼ号数、るつぼ最大外径、るつぼ支持具全長、支点から把持部先端までの長さ３を表１に示す。これらのサイズが最も好ましい一例である。
【００２０】
【表１】
2010099728.tif 000003
【図面の簡単な説明】
【００２１】
【図１】本発明の第１実施形態の開いた状態のるつぼ支持具に係る平面図である。
【図２】本発明の第１実施形態の閉じた状態のるつぼ支持具に係る平面図である。
【図３】本発明の第１実施形態のるつぼ支持具に係る側面図である。
【図４】本発明の第２実施形態の開いた状態のるつぼ支持具に係る平面図である。
【図５】本発明の第２実施形態の閉じた状態のるつぼ支持具に係る平面図である。
【図６】本発明の第２実施形態のるつぼ支持具に係る側面図である。
【図７】るつぼ支持具使用時の概略図である。
【符号の説明】
【００２２】
１        籠
２        ストッパー
３a、３b  把持部
４a、４b  アーム
５        るつぼ
６        枠
７a、７b  作業者の手
【図１】
2010099728.tif 000004
【図２】
2010099728.tif 000005
【図３】
2010099728.tif 000006
【図４】
2010099728.tif 000007
【図５】
2010099728.tif 000008
【図６】
2010099728.tif 000009
【図７】
2010099728.tif 000010